(57)【要約】【課題】主電源の投入直後の停電や瞬時停電に対応できるようにする。オンライン交換のリスクを小さくする。【解決手段】バックアップコンデンサとして中容量（例えば、１００Ｆ）の電気二重層コンデンサＣ１，Ｃ２，Ｃ３を設ける。バックアップコンデンサＣ１，Ｃ２，Ｃ３を並列に接続し、主電源の投入後、先ず、バックアップコンデンサＣ１の充電を開始させる。そして、バックアップコンデンサＣ１の充電の完了後、第１の電子スイッチＳＷ１をオンとし、バックアップコンデンサＣ２の充電を開始させ、バックアップコンデンサＣ２の充電の完了後、第２の電子スイッチＳＷ２をオンとし、バックアップコンデンサＣ３の充電を開始させる。【選択図】  図２
2010122857.tif 000002
【特許請求の範囲】
【請求項１】
主電源の遮断時にバックアップコンデンサに蓄えられている電荷を放電することによって負荷への電力の供給を継続するバックアップ装置において、
前記主電源からの電流の供給を受けて充電される第１のバックアップコンデンサと、
この第１のバックアップコンデンサの充電電圧が所定の電圧値に達したときにオンとされる第１のスイッチと、
前記第１のバックアップコンデンサに前記第１のスイッチを介して並列に接続され、前記第１のスイッチがオンとされたときにこの第１のスイッチを通ずる前記主電源からの電流の供給を受けて充電される第２のバックアップコンデンサと
を備えることを特徴とするバックアップ装置。
【請求項２】
請求項１に記載されたバックアップ装置において、
前記第２のバックアップコンデンサの充電電圧が所定の電圧値に達したときにオンとされる第２のスイッチと、
前記第２のバックアップコンデンサに前記第２のスイッチを介して並列に接続され、前記第２のスイッチがオンとされたときにこの第２のスイッチを通ずる前記主電源からの電流の供給を受けて充電される第３のバックアップコンデンサと
を備えることを特徴とするバックアップ装置。
【発明の詳細な説明】
【技術分野】
【０００１】
この発明は、主電源の遮断時にバックアップコンデンサに蓄えられている電荷を放電することによって負荷への電力の供給を継続するバックアップ装置に関するものである。
【背景技術】
【０００２】
従来より、プラント機器を制御するプロセスコントローラにおいては、主電源の遮断時にその時点での動作データを保持して、次回起動時に使う必要がある。このために、バックアップコンデンサを設け、主電源断後の数秒〜数十秒の間はバックアップコンデンサに蓄えられている電荷を放電することによってＣＰＵへの電力の供給を継続し、その間に不揮発性メモリであるフラッシュＲＯＭ（Read Only Memory）などにデータを書き込む方法が採用されている（例えば、特許文献１参照）。
【０００３】
図５にバックアップコンデンサを用いた従来のプロセスコントローラの要部を示す。同図において、１はプロセスコントローラの主電源回路、２はバックアップコンデンサ、３はバックアップコンデンサ２への充電回路（定電流充電回路）、４はバックアップコンデンサ２からの出力電圧をドロップさせて安定化させるレギュレータ回路、５は主電源回路１からの出力電圧とレギュレータ回路４からの出力電圧の何れか高い方を出力するＯＲ回路、６はＣＰＵ、７はＯＲ回路５からの出力電圧をＣＰＵ６で必要な電圧にドロップさせて安定化させるレギュレータ回路、８は不揮発性メモリであるフラッシュＲＯＭ、９は主電源回路１における出力電圧の遮断を検出する電源断検出回路である。
【０００４】
このプロセスコントローラでは、バックアップコンデンサ２と充電回路３とレギュレータ回路４とによってバックアップ装置１００が構成され、バックアップコンデンサ２としては、電気二重層コンデンサと呼ばれる大容量のコンデンサが用いられている。この例では、３００Ｆのコンデンサが用いられている。また、バックアップコンデンサ２の充電完了状態において、レギュレータ回路４からのＯＲ回路５への出力電圧は、主電源回路１からのＯＲ回路５への出力電圧よりも若干低いものとされている。
【０００５】
〔主電源の投入時〕
主電源回路１がオンとされると、主電源回路１からの出力電圧がＯＲ回路５を介してレギュレータ回路７へ送られ、レギュレータ回路７によって安定化された電圧が動作電圧としてＣＰＵ６へ供給される。また、主電源回路１からの出力電圧が充電回路３へ与えられ、充電回路３から供給される定電流によって、バックアップコンデンサ２の充電が開始される。
【０００６】
例えば、主電源回路１からＯＲ回路６に出力される電圧は５．５Ｖ、充電回路３に出力される電圧は６Ｖとされる。この場合、バックアップコンデンサ２の出力電圧は、充電完了時には６Ｖまで上昇する。このバックアップコンデンサ２の出力電圧はレギュレータ回路４へ送られる。レギュレータ回路４はバックアップコンデンサ２の出力電圧を例えば５Ｖ以下にドロップさせて安定化させる。
【０００７】
この場合、レギュレータ回路４からの出力電圧はＯＲ回路５へ与えられるが、主電源回路１からのＯＲ回路５への出力電圧の方が高いので、バックアップコンデンサ２の充電完了後も、主電源回路１からの出力電圧がレギュレータ回路７へ与えられ、この主電源回路１からの出力電圧より得られる動作電圧（例えば、３．３Ｖ）がＣＰＵ６へ供給される。
【０００８】
〔通常動作時〕
ＣＰＵ６は、主電源回路１からの出力電圧より得られる動作電圧の供給を受けて動作し、プラントの入力機器（例えば、センサ、圧力計、流量計など）のデータを収集し、この収集したデータを基に制御演算を実行し、プラントの出力機器（例えば、バルブ、ポンプなど）を制御する。
【０００９】
〔主電源の遮断時〕
例えば、停電によって、主電源回路１がオフになったとする。この場合、主電源回路１からのＯＲ回路５への出力電圧がなくなるので、レギュレータ回路４からの出力電圧がＯＲ回路５を通してレギュレータ回路７へ送られ、このレギュレータ回路４からの出力電圧より得られる動作電圧がＣＰＵ６へ供給されるものとなる。一方、主電源回路１がオフになると、電源断検出回路９は、主電源断検出信号をＣＰＵ６に出力する。
【００１０】
ＣＰＵ６は、電源断検出回路９から主電源断検出信号が入力されると、主電源の遮断が生じたと判断して、その時の動作データを次回起動時に必要なデータとしてフラッシュＲＯＭ８にセーブする。この時、ＣＰＵ６は、レギュレータ回路４からの出力電圧より得られる動作電圧、すなわちバックアップコンデンサ２からの電力の供給を受けて動作し、バックアップコンデンサ２からの電力供給が可能な時間以内に、必要なデータをフラッシュＲＯＭ７へセーブする。
【００１１】
主電源の遮断には、停電には至らない瞬時電圧低下（以下、瞬時停電と呼ぶ）もある。この瞬時停電の場合にも、停電時と同様にして、レギュレータ回路４からの出力電圧より得られる動作電圧がＣＰＵ６に供給される。これにより、瞬時停電が起きても、ＣＰＵ６への動作電圧が途絶えることがなく、ＣＰＵ６がリセットされてしまうということが防がれる。
【００１２】
【特許文献１】特開平８−３３６２３３号公報
【発明の開示】
【発明が解決しようとする課題】
【００１３】
上述したプロセスコントローラでは、停電時のフラッシュＲＯＭ８へのデータのセーブに必要な時間を確保するために、バックアップコンデンサ２の容量を大容量とする。バックアップコンデンサ２への充電電流は、主電源回路１からのＣＰＵ６への供給電流に影響を与えない値にするなどの制限を受けるため、小さな値にせざるを得ない。このため、バックアップコンデンサ２の充電にかなりの時間がかかる。
【００１４】
また、通常、バックアップコンデンサ２の容量は、経年劣化による容量低下を考慮して、想定される容量よりも大容量とする。例えば、図５に示したプロセスコントローラでは、バックアップコンデンサ２の想定される容量を２００Ｆとし、これよりも余裕を持たせた３００Ｆのコンデンサを用いている。このように、コンデンサの容量に余裕を持たせると、さらに充電時間が長くなる。
【００１５】
図６にバックアップコンデンサ２の出力電圧（充電電圧）と充電時間との関係を示す。この関係において、バックアップコンデンサ２の出力電圧がＣＰＵ６の動作電圧を確保し得る値ＶＣＬに達するまでに必要な充電時間は、バックアップコンデンサ２の容量に比例して長くなる。ここで、主電源の投入後、バックアップコンデンサ２の出力電圧がＶＣＬに達するまでの間に停電が発生した場合、ＣＰＵ６への動作電圧を確保することができず、フラッシュＲＯＭ８へのデータのセーブが行われない。また、停電に至らずとも、瞬時停電が起きた場合、ＣＰＵ６がリセットされてしまう。特に、起動時は、多くの機器が一斉起動するため、電源が不安定となり、瞬時停電が起こる虞が高い。これにより、プロセスコントローラが次回の起動に失敗したり、暴走したりするなどの問題が生じる。
【００１６】
また、上述したプロセスコントローラでは、プロセスコントローラの動作中、バックアップコンデンサ２を新品のコンデンサと交換したい場合がある。このプロセスコントローラの動作中のバックアップコンデンサの交換をオンライン交換と呼ぶ。しかし、この場合、バックアップコンデンサ２を外している間の停電や瞬時停電に対応することができず、オンライン交換のリスクが大きい。
【００１７】
本発明は、このような課題を解決するためになされたもので、その目的とするところは、主電源の投入直後の停電や瞬時停電に対応することが可能で、かつオンライン交換のリスクの小さいバックアップ装置を提供することにある。
【課題を解決するための手段】
【００１８】
このような目的を達成するために本発明は、主電源の遮断時にバックアップコンデンサに蓄えられている電荷を放電することによって負荷への電力の供給を継続するバックアップ装置において、主電源からの電流の供給を受けて充電される第１のバックアップコンデンサと、この第１のバックアップコンデンサの充電電圧が所定の電圧値に達したときにオンとされる第１のスイッチと、第１のバックアップコンデンサに第１のスイッチを介して並列に接続され、第１のスイッチがオンとされたときにこの第１のスイッチを通ずる主電源からの電流の供給を受けて充電される第２のバックアップコンデンサとを設けることを特徴とする。
【００１９】
本発明では、さらに、第２のバックアップコンデンサの充電電圧が所定の電圧値に達したときにオンとされる第２のスイッチと、第２のバックアップコンデンサに第２のスイッチを介して並列に接続され、第２のスイッチがオンとされたときにこの第２のスイッチを通ずる主電源からの電流の供給を受けて充電される第３のバックアップコンデンサとを設けるようにしてもよい。
【００２０】
この発明によれば、バックアップコンデンサとして第１のバックアップコンデンサと第２のバックアップコンデンサが設けられ、主電源を投入すると、先ず、第１のバックアップコンデンサの充電が開始される。そして、この第１のバックアップコンデンサの充電電圧が上昇し所定の電圧値に達すると、第１のスイッチがオンとされ、第２のバックアップコンデンサの充電が開始される。そして、第２のバックアップコンデンサの充電電圧が上昇し所定の電圧値に達すると、第２のスイッチがオンとされ、第３のバックアップコンデンサの充電が開始される。
【００２１】
例えば、第１のバックアップコンデンサの容量を１００Ｆ、第２のバックアップコンデンサの容量を１００Ｆ、第３のバックアップコンデンサの容量を１００Ｆとする。また、第１のスイッチをオンとする際の所定の電圧値を第１のバックアップコンデンサの充電完了時の電圧値とし、第２のスイッチをオンとする際の所定の電圧値を第２のバックアップコンデンサの充電完了時の電圧値とする。この場合、第１のバックアップコンデンサが短時間で充電完了状態となり、この第１のバックアップコンデンサが充電を完了した状態で、第２のバックアップコンデンサの充電が開始される。第２のバックアップコンデンサも短時間で充電完了状態となり、この第２のバックアップコンデンサが充電を完了した状態で、第３のバックアップコンデンサの充電が開始される。第３のバックアップコンデンサも短時間で充電完了状態となる。
【００２２】
これにより、主電源の投入後、第１のバックアップコンデンサの充電が完了した以降であれば、瞬時停電が起きても、第１のバックアップコンデンサに蓄えられている電荷を放電することによって、ＣＰＵなどの負荷への電力の供給を継続することができる。また、主電源の投入後、第２のバックアップコンデンサの充電が完了した以降であれば、停電が起きても、第１および第２のバックアップコンデンサに蓄えられている電荷を放電することによって、ＣＰＵなどの負荷への供給電力を確保し、不揮発性メモリへのデータのセーブなどを行わせることができる。また、主電源の投入後、第３のバックアップコンデンサの充電が完了した以降であれば、経年劣化によって第１および第２のバックアップコンデンサの容量が低下しても、第３のバックアップコンデンサに蓄えられている電荷によって負荷への供給電力の不足分を補って、停電に対応することことが可能となる。
【００２３】
また、動作中、第１のバックアップコンデンサを取り外した時には、第２および第３のバックアップコンデンサが充電完了状態で残され、第２のバックアップコンデンサを取り外した時には、第１および第３のバックアップコンデンサが充電完了状態で残され、第３のバックアップコンデンサを取り外した時には、第１および第２のバックアップコンデンサが充電完了状態で残される。この場合、残されたバックアップコンデンサでその間の少なくとも瞬時停電に対応させることが可能（場合によっては停電にも対応させることも可能）であり、オンライン交換のリスクが軽減される。
【発明の効果】
【００２４】
本発明によれば、バックアップコンデンサとして複数のバックアップコンデンサを設け、この複数のバックアップコンデンサの充電を順番に行うようにすることによって、個々のバックアップコンデンサの容量を小さくして、バックアップコンデンサの充電時間の短縮を図り、主電源の投入直後の停電や瞬時停電に対応することが可能となる。また、バックアップコンデンサを１つずつ取り外して交換するようにして、残されたバックアップコンデンサでその間の少なくとも瞬時停電に対応させることが可能であり、オンライン交換のリスクを軽減することができる。
【発明を実施するための最良の形態】
【００２５】
以下、本発明を図面に基づいて詳細に説明する。図１はこの発明に係るバックアップ装置を用いたプロセスコントローラの一実施の形態の要部を示す図である。同図において、図５と同一符号は図５を参照して説明した構成要素と同一或いは同等構成要素を示し、その説明は省略する。
【００２６】
このプロセスコントローラでは、バックアップコンデンサＣ１，Ｃ２，Ｃ３と充電回路３とレギュレータ回路４とコントロール回路１０とによってバックアップ装置２００を構成している。バックアップコンデンサＣ１，Ｃ２，Ｃ３としては、電気二重層コンデンサを用いているが、その容量はそれぞれ１００Ｆとされている。
【００２７】
すなわち、従来のプロセスコントローラ（図５）におけるバックアップコンデンサ２の容量が３００Ｆと大容量とされていたのに対し、この実施の形態で用いるバックアップコンデンサＣ１，Ｃ２，Ｃ３の容量は１００Ｆと中容量のものとされている。
【００２８】
そして、このバックアップコンデンサＣ１，Ｃ２，Ｃ３に対して、このバックアップコンデンサＣ１，Ｃ２，Ｃ３への充電開始タイミングを制御するコントロール回路１０を設けている。
【００２９】
図２にコントロール回路１０の内部構成の概略を示す。コントロール回路１０は、第１の電子スイッチＳＷ１と、第２の電子スイッチＳＷ２と、第１の電圧検出回路ＶＤＣ１と、第２の電圧検出回路ＶＤＣ２と、ダイオードＤ１，Ｄ２，Ｄ３とを備えている。
【００３０】
このプロセスコントローラにおいて、バックアップコンデンサＣ１は、コントロール回路１０内のダイオードＤ１を介して、充電回路（定電流充電回路）３からの充電電流の入力ラインＬ１とレギュレータ回路４への充電電圧（出力電圧）の出力ラインＬ２との間に接続されている。ダイオードＤ１は、バックアップコンデンサＣ１とラインＬ２との間に、そのアノードをバックアップコンデンサＣ１側にして接続されている。
【００３１】
バックアップコンデンサＣ２は、コントロール回路１０内のダイオードＤ２および第１の電子スイッチＳＷ１を介して、ラインＬ１とラインＬ２との間に（バックアップコンデンサＣ１に対して並列に）接続されている。ダイオードＤ２は、バックアップコンデンサＣ２とラインＬ２との間に、そのアノードをバックアップコンデンサＣ２側にして接続されている。第１の電子スイッチＳＷ１は、バックアップコンデンサＣ２とラインＬ１との間に接続されている。
【００３２】
バックアップコンデンサＣ３は、コントロール回路１０内のダイオードＤ３および第２の電子スイッチＳＷ２を介して、ラインＬ１とラインＬ２との間に（バックアップコンデンサＣ２に対して並列に）接続されている。ダイオードＤ３は、バックアップコンデンサＣ２とラインＬ２との間に、そのアノードをバックアップコンデンサＣ３側にして接続されている。第２の電子スイッチＳＷ２はバックアップコンデンサＣ３とラインＬ１との間に接続されている。
【００３３】
コントロール回路１０において、第１の電圧検出回路ＶＤＣ１は、バックアップコンデンサＣ１の充電電圧ＶＣ１を監視し、この充電電圧ＶＣ１が予め定められている所定の電圧値Ｖｔｈ１以上となったとき、第１の電子スイッチＳＷ１をオンとする機能を有している。この例において、所定の電圧値Ｖｔｈ１は、バックアップコンデンサＣ１の充電完了時の電圧値とされている。
【００３４】
第２の電圧検出回路ＶＤＣ２は、バックアップコンデンサＣ２の充電電圧ＶＣ２を監視し、この充電電圧ＶＣ２が予め定められている所定の電圧値Ｖｔｈ２以上となったとき、第２の電子スイッチＳＷ２をオンとする機能を有している。この例において、所定の電圧値Ｖｔｈ２は、バックアップコンデンサＣ２の充電完了時の電圧値とされている。
【００３５】
〔主電源の投入時〕
このプロセスコントローラにおいて、主電源回路１がオンとされると、主電源回路１からの出力電圧がＯＲ回路５を介してレギュレータ回路７へ送られ、レギュレータ回路７によって安定化された電圧が動作電圧としてＣＰＵ６へ供給される。また、主電源回路１からの出力電圧が充電回路３へ与えられ、充電回路３から供給される定電流によって、バックアップコンデンサＣ１の充電が開始される。
【００３６】
この場合、バックアップコンデンサＣ１の容量は１００Ｆとされているので、短時間で充電完了状態となる。すなわち、従来のバックアップコンデンサ２の容量は３００Ｆと大容量であったため、充電電圧がなかなか上昇せず、充電完了状態となるまでにかなりの時間がかかっていた。これに対して、バックアップコンデンサＣ１の容量は１００Ｆと小さいため、充電電圧の上昇スピードが速く、短時間で充電完了状態となる。
【００３７】
電圧検出回路ＶＤＣ１は、バックアップコンデンサＣ１の充電電圧ＶＣ１が上昇し充電完了時の電圧値Ｖｔｈ１に達すると、第１の電子スイッチＳＷ１をオンとする。これにより、バックアップコンデンサＣ１の充電が完了した状態で、バックアップコンデンサＣ２の充電が開始される。バックアップコンデンサＣ２も短時間で充電完了状態となる。
【００３８】
電圧検出回路ＶＤＣ２は、バックアップコンデンサＣ２の充電電圧ＶＣ２が上昇し充電完了時の電圧値Ｖｔｈ２に達すると、第２の電子スイッチＳＷ２をオンとする。これにより、バックアップコンデンサＣ２の充電が完了した状態で、バックアップコンデンサＣ３の充電が開始される。バックアップコンデンサＣ３も短時間で充電完了状態となる。
【００３９】
図３にバックアップコンデンサＣ１，Ｃ２，Ｃ３への充電が順番に行われて行く様子を示す。図４に充電に伴ってバックアップコンデンサＣ１，Ｃ２，Ｃ３の全体に対する電荷の蓄積量が増大して行く様子を示す。バックアップコンデンサＣ１への充電が完了した時点では、コンデンサＣ１，Ｃ２，Ｃ３の全体では１００Ｆ分の電荷Ｑ１が蓄積され、バックアップコンデンサＣ２への充電が完了した時点では、コンデンサＣ１，Ｃ２，Ｃ３の全体では２００Ｆ分の電荷Ｑ２が蓄積され、バックアップコンデンサＣ３への充電が完了した時点では、コンデンサＣ１，Ｃ２，Ｃ３の全体では３００Ｆ分の電荷Ｑ３が蓄積される。
【００４０】
このようにして、本実施の形態では、バックアップコンデンサＣ１，Ｃ２，Ｃ３への充電が順番に行われて行き、主電源の投入後、バックアップコンデンサＣ１の充電が完了した以降であれば（図３に示すｔ１点以降）、瞬時停電が起きても、バックアップコンデンサＣ１に蓄えられている電荷を放電することによって、ＣＰＵ６への電力の供給を継続することができる。
【００４１】
また、主電源の投入後、バックアップコンデンサＣ２の充電が完了した以降であれば（図３に示すｔ２点以降）、停電が起きても、バックアップコンデンサＣ１，Ｃ２に蓄えられている電荷を放電することによって、ＣＰＵ６への供給電力を確保し、フラッシュＲＯＭ８へのデータのセーブを行わせることができる。
【００４２】
また、主電源の投入後、バックアップコンデンサＣ３の充電が完了した以降であれば（図３に示すｔ３点以降）、経年劣化によってバックアップコンデンサＣ１，Ｃ２の容量が低下しても、バックアップコンデンサＣ３に蓄えられている電荷によってＣＰＵ６への供給電力の不足分を補って、停電に対応することことが可能となる。
【００４３】
〔オンライン交換〕
バックアップコンデンサＣ１，Ｃ２，Ｃ３の容量は経年劣化によって低下して行く。バックアップコンデンサＣ１，Ｃ２，Ｃ３の容量の低下は、例えば、電源遮断時のＣＰＵ６による必要なデータのフラッシュＲＯＭ６への書き込み完了時刻から供給電力量の不足から動作不能になるまでの時間を余裕時間として求め、この余裕時間を予め定められている寿命判定時間と比較することによって知ることが可能である。この場合、余裕時間が寿命判定時間よりも短くなれば、バックアップコンデンサＣ１，Ｃ２，Ｃ３が寿命を迎えていると判断し、バックアップコンデンサの交換を促す警告を出すようにする。
【００４４】
この警告が出された場合、プロセスコントローラの管理者は、バックアップコンデンサのオンライン交換を行う。この場合、従来のプロセスコントローラでは、大容量のバックアップコンデンサを１つしか設けていなかったので、バックアップコンデンサを外している間の停電や瞬時停電に対応することができず、オンライン交換のリスクが大きかった。
【００４５】
これに対して、本実施の形態では、プロセスコントローラの動作中、バックアップコンデンサＣ１を取り外した時には、バックアップコンデンサＣ２，Ｃ３が充電完了状態で残され、バックアップコンデンサＣ２を取り外した時には、バックアップコンデンサＣ１，Ｃ３が充電完了状態で残され、バックアップコンデンサＣ３を取り外した時には、バックアップコンデンサＣ１，Ｃ２が充電完了状態で残される。この場合、残されたバックアップコンデンサでその間の少なくとも瞬時停電に対応させることが可能（場合によっては停電にも対応させることが可能）であり、オンライン交換のリスクが軽減される。
【００４６】
なお、上述した実施の形態では、バックアップコンデンサの経年劣化による容量低下を考慮して、バックアップコンデンサＣ１，Ｃ２に対してバックアップコンデンサＣ３を追加して設けたが、バックアップコンデンサＣ１，Ｃ２のみとしてもよい。また、例えば、バックアップコンデンサＣ１，Ｃ２の容量を１５０Ｆとし、合計で３００Ｆ分の電荷を蓄積させるようにしてもよい。また、上述した実施の形態では、バックアップコンデンサをＣ１，Ｃ２，Ｃ３の３つとしたが、さらにバックアップコンデンサの数を増やしてもよい。また、本発明において、負荷はＣＰＵに限られるものでもない。
【００４７】
また、上述した実施の形態では、バックアップコンデンサＣ１，Ｃ２，Ｃ３の容量を１００Ｆとしたり、合計の容量を３００Ｆとしたりしたが、これらの値はあくまでも例示であって、このような値に限られるものでないことは言うまでもない。
また、バックアップコンデンサのオンライン交換を行う場合、必ずしも劣化診断を行わせるようにしなくてもよい。例えば、使用期間が５年過ぎたら、１つづつバックアップコンデンサをオンライン交換するようにしたりしてもよい。
【図面の簡単な説明】
【００４８】
【図１】本発明に係るバックアップ装置を用いたプロセスコントローラの一実施の形態の要部を示す図である。
【図２】このプロセスコントローラに用いられているバックアップ装置におけるコントロール回路の内部構成の概略を示す図である。
【図３】このプロセスコントローラにおいてバックアップコンデンサＣ１，Ｃ２，Ｃ３への充電が順番に行われて行く様子を示す図である。
【図４】充電に伴ってバックアップコンデンサＣ１，Ｃ２，Ｃ３の全体に対する電荷の蓄積量が増大して行く様子を示す図である。
【図５】バックアップコンデンサを用いた従来のプロセスコントローラの要部を示す図である。
【図６】従来のプロセスコントローラにおけるバックアップコンデンサの出力電圧（充電電圧）と充電時間との関係を示す図である。
【符号の説明】
【００４９】
１…主電源回路、３…充電回路、４…レギュレータ回路、５…ＯＲ回路、６…ＣＰＵ、７…レギュレータ回路、８…フラッシュＲＯＭ、９…電源断検出回路、１０…コントロール回路、Ｃ１，Ｃ２，Ｃ３…バックアップコンデンサ、Ｄ１，Ｄ２，Ｄ３…ダイオード、ＳＷ１…第１の電子スイッチ、ＳＷ２…第２の電子スイッチ、ＶＤＣ１…第１の電圧検出回路、ＶＤＣ２…第２の電圧検出回路、２００…バックアップ装置。
【図１】
2010122857.tif 000003
【図２】
2010122857.tif 000004
【図３】
2010122857.tif 000005
【図４】
2010122857.tif 000006
【図５】
2010122857.tif 000007
【図６】
2010122857.tif 000008